(57)【要約】液体吸入麻酔薬用の柔軟性を有する容器が、開示される。さまざまな形態において、柔軟性を有する容器は、柔軟性を有する容器本体、ねじ付き口、および液体吸入麻酔薬を備えている。柔軟性を有する容器本体は、少なくとも１つのアルミニウム層および少なくとも１つのポリマー層から成る積層物などの積層物を備えていることができる。いくつかの形態において、液体吸入麻酔薬は、ポリマー層と接触していることができる。いくつかの形態において、液体吸入麻酔薬は、アルミニウム層と接触していることができる。さまざまな形態において、柔軟性を有する容器は、キーカラー、キャップ、および密封部をさらに備えることができる。【選択図】図１Ａおよび図１Ｂ
2015519092.tif 000002
【特許請求の範囲】
【請求項１】
液体吸入麻酔薬用の柔軟性を有する容器であって、
柔軟性を有する容器本体と、
ねじ付き口と、
液体吸入麻酔薬とを備えている柔軟性を有する容器。
【請求項２】
前記柔軟性を有する容器本体が、アルミニウム層および第１のポリマー層を含んだ積層物を備えている、請求項１に記載の柔軟性を有する容器。
【請求項３】
前記液体吸入麻酔薬が、前記第１のポリマー層と接触する、請求項２に記載の柔軟性を有する容器。
【請求項４】
前記液体吸入麻酔薬が、前記アルミニウム層と接触する、請求項２に記載の柔軟性を有する容器。
【請求項５】
前記液体吸入麻酔薬が、フルオロカーボン麻酔薬である、請求項１から４の何れか１つに記載の柔軟性を有する容器。
【請求項６】
前記液体吸入麻酔薬が、セボフルラン、デスフルラン、イソフルラン、ハロタン、メトキシフルラン、エトランおよびエーテルから成る前記群から選択される、請求項１から４の何れか１つに記載の柔軟性を有する容器。
【請求項７】
前記吸入麻酔薬が、セボフルランである、請求項１から４の何れか１つに記載の柔軟性を有する容器。
【請求項８】
前記吸入麻酔薬が、デスフルランである、請求項１から４の何れか１つに記載の柔軟性を有する容器。
【請求項９】
前記吸入麻酔薬が、イソフルランである、請求項１から４の何れか１つに記載の柔軟性を有する容器。
【請求項１０】
前記吸入麻酔薬が、ハロタンである、請求項１から４の何れか１つに記載の柔軟性を有する容器。
【請求項１１】
前記吸入麻酔薬が、メトキシフルランである、請求項１から４の何れか１つに記載の柔軟性を有する容器。
【請求項１２】
前記吸入麻酔薬が、エトランである、請求項１から４の何れか１つに記載の柔軟性を有する容器。
【請求項１３】
前記吸入麻酔薬が、エーテルである、請求項１から４の何れか１つに記載の柔軟性を有する容器。
【請求項１４】
キーカラーをさらに備えている、請求項１から４の何れか１つに記載の柔軟性を有する容器。
【請求項１５】
吸入麻酔薬瓶用ＩＳＯ規格キーカラーに対応するキーカラーをさらに備えている、請求項１から４の何れか１つに記載の柔軟性を有する容器。
【請求項１６】
前記ねじ付き口に蓋をする密封部をさらに備えている、請求項１から４の何れか１つに記載の柔軟性を有する容器。
【請求項１７】
前記密封部が、着脱可能な密封部である、請求項１６に記載の柔軟性を有する容器。
【請求項１８】
前記ねじ付き口が、ねじ山部を備えている、請求項１から４の何れか１つに記載の柔軟性を有する容器。
【請求項１９】
前記第１のポリマー層が、環状オレフィンコポリマーを備えている、請求項２から４の何れか１つに記載の柔軟性を有する容器。
【請求項２０】
前記第１のポリマー層が、環状オレフィンコポリマー（ＣＯＣ）とエチレンおよびオクテンのグラフトコポリマーを備えている、請求項２から４の何れか１つに記載の柔軟性を有する容器。
【請求項２１】
前記第１のポリマー層が、ナイロンを備えている、請求項２から４の何れか１つに記載の柔軟性を有する容器。
【請求項２２】
前記第１のポリマー層が、ポリエチレンを備えている、請求項２から４の何れか１つに記載の柔軟性を有する容器。
【請求項２３】
前記ポリエチレンが、直鎖状低密度ポリエチレン（ＬＬＤＰＥ）である、請求項２２に記載の柔軟性を有する容器。
【請求項２４】
前記ポリエチレンが、二軸延伸ポリエチレンテレフタレートである、請求項２２に記載の柔軟性を有する容器。
【請求項２５】
前記第１のポリマー層が、ポリプロピレンを備えている、請求項２から４の何れか１つに記載の柔軟性を有する容器。
【請求項２６】
前記積層物が、さらに第２のポリマー層を備えている、請求項２から４の何れか１つに記載の柔軟性を有する容器。
【請求項２７】
前記第２のポリマー層が、環状オレフィンコポリマーを備えている、請求項２６に記載の柔軟性を有する容器。
【請求項２８】
前記第２のポリマー層が、環状オレフィンコポリマーとエチレンおよびオクタンのグラフトコポリマーを備えている、請求項２６に記載の柔軟性を有する容器。
【請求項２９】
前記第２のポリマー層が、ナイロンを備えている、請求項２６に記載の柔軟性を有する容器。
【請求項３０】
前記第２のポリマー層が、ポリエチレンを備えている、請求項２６に記載の柔軟性を有する容器。
【請求項３１】
前記第２のポリマー層の前記ポリエチレンが、直鎖状低密度ポリエチレン（ＬＬＤＰＥ）である、請求項３０に記載の柔軟性を有する容器。
【請求項３２】
前記第２のポリマー層の前記ポリエチレンが、二軸延伸ポリエチレンテレフタレートである、請求項３０に記載の柔軟性を有する容器。
【請求項３３】
前記第２のポリマー層が、ポリプロピレンを備えている、請求項２６に記載の柔軟性を有する容器。
【請求項３４】
前記第１のポリマー層が、ＬＬＤＰＥを備えており、前記第２のポリマー層が、ナイロンを備えている、請求項２６に記載の柔軟性を有する容器。
【請求項３５】
前記第１のポリマー層が、二軸延伸ポリエチレンテレフタレートを備えており、前記第２のポリマー層が、ナイロンを備えている、請求項２６に記載の柔軟性を有する容器。
【請求項３６】
前記積層物が、アルミニウムとＬＬＤＰＥの間に挟まれたナイロンを備えている、請求項２６に記載の柔軟性を有する容器。
【請求項３７】
前記積層物が、アルミニウムと二軸延伸ポリエチレンテレフタレートの間に挟まれたナイロンを備えている、請求項２６に記載の柔軟性を有する容器。
【請求項３８】
キャップをさらに備えている、請求項１から４のいずれか１つに記載の柔軟性を有する容器。
【請求項３９】
前記キャップが、高密度ポリエチレン、ＬＬＤＰＥおよび二軸延伸ポリエチレンテレフタレートから成る前記群から選択されたポリマーから成っている、請求項３８に記載の柔軟性を有する容器。
【請求項４０】
被術対象に麻酔をかける方法であって、
請求項１から４の何れか１つの容器を麻酔器に流体接続することと、
前記麻酔器を被術対象に流体接続することと、
麻酔的に有効な量の前記吸入麻酔薬を前記被術対象に投与することと、を備えている方法。
【請求項４１】
前記被術対象が、人間である、請求項４０に記載の、被術対象に麻酔をかける方法。
【請求項４２】
前記被術対象が、動物である、請求項４０に記載の、被術対象に麻酔をかける方法。
【請求項４３】
前記液体吸入麻酔薬が、フルオロカーボン麻酔薬である、請求項４０に記載の、被術対象に麻酔をかける方法。
【請求項４４】
前記液体吸入麻酔薬が、セボフルラン、デスフルラン、イソフルラン、ハロタン、メトキシフルラン、エトラン、およびエーテルから成る前記群から選択される、請求項４０に記載の、被術対象に麻酔をかける方法。
【請求項４５】
前記吸入麻酔薬が、セボフルラン、デスフルラン、イソフルラン、ハロタン、およびメトキシフルランから成る前記群から選択される、請求項４０に記載の、被術対象に麻酔をかける方法。
【請求項４６】
前記容器が、キーカラーをさらに備えている、請求項４０に記載の、被術対象に麻酔をかける方法。
【請求項４７】
前記容器が、吸入麻酔薬瓶に関するＩＳＯ規格キーカラーに対応するキーカラーをさらに備えている、請求項４０に記載の、被術対象に麻酔をかける方法。
【請求項４８】
液体吸入麻酔薬を麻酔気化器リザーバに送達する方法であって、
請求項１から４の何れか１つの容器をキー充填アダプタに取り付けることと、
前記液体麻酔薬を前記気化器リザーバに移送することと、を備えている方法。
【請求項４９】
前記液体吸入麻酔薬が、セボフルラン、デスフルラン、イソフルラン、ハロタン、メトキシフルラン、エトラン、およびエーテルから成る前記群から選択される、請求項４８に記載の方法。
【請求項５０】
前記吸入麻酔薬が、セボフルラン、デスフルラン、イソフルラン、ハロタンおよびメトキシフルランから成る前記群から選択される、請求項４８に記載の、被術対象に麻酔をかける方法。
【請求項５１】
前記容器が、キーカラーをさらに備えている、請求項４８に記載の、被術対象に麻酔をかける方法。
【請求項５２】
前記容器が、吸入麻酔薬瓶に関するＩＳＯ規格キーカラーに対応するキーカラーをさらに備えている、請求項４８に記載の、被術対象に麻酔をかける方法。
【請求項５３】
前記容器が、麻酔薬に特有のキーカラーを備えており、前記キー充填アダプタが、相補的なキー取り付け部品を備えている、請求項４８に記載の、被術対象に麻酔をかける方法。
【請求項５４】
キットであって、
前記柔軟性を有する容器は、柔軟性を有する容器本体およびねじ付き口を備えている、液体吸入麻酔薬用の柔軟性を有する容器と、
少なくとも１つの液体吸入麻酔薬とを備えているキット。
【請求項５５】
前記柔軟性を有する容器が、アルミニウム層および第１のポリマー層から成る積層物を備えている、請求項５４に記載のキット。
【請求項５６】
前記第１のポリマー層が、前記容器の前記内部と接触する、請求項５４に記載のキット。
【請求項５７】
前記アルミニウム層が、前記容器の前記内部と接触する、請求項５４に記載のキット。
【請求項５８】
前記第１のポリマー層が、環状オレフィンコポリマーを備えている、請求項５４から５７の何れか１つに記載のキット。
【請求項５９】
前記第１のポリマー層が、環状オレフィンコポリマー（ＣＯＣ）とエチレンおよびオクテンのグラフトコポリマーを備えている、請求項５４から５７の何れか１つに記載のキット。
【請求項６０】
前記第１のポリマー層が、ナイロンを備えている、請求項５４から５７の何れか１つに記載のキット。
【請求項６１】
前記第１のポリマー層が、ポリエチレンを備えている、請求項５４から５７の何れか１つに記載のキット。
【請求項６２】
前記ポリエチレンは、ＬＬＤＰＥおよび二軸延伸ポリエチレンテレフタレートから成る前記群から選択される、請求項７５に記載のキット。
【請求項６３】
前記第１のポリマー層が、ポリプロピレンを備えている、請求項５４から５７の何れか１つに記載のキット。
【請求項６４】
前記積層物が、第２のポリマー層をさらに備えている、請求項５４から５７の何れか１つに記載のキット。
【請求項６５】
前記第２のポリマー層が、環状オレフィンコポリマーを備えている、請求項６４に記載のキット。
【請求項６６】
前記第２のポリマー層が、環状オレフィンコポリマーとエチレンおよびオクテンのグラフトコポリマーとを備えている、請求項６４に記載のキット。
【請求項６７】
前記第２のポリマー層が、ナイロンを備えている、請求項６４に記載のキット。
【請求項６８】
前記第２のポリマー層が、ポリエチレンを備えている、請求項６４に記載のキット。
【請求項６９】
前記ポリエチレンが、直鎖状低密度ポリエチレン（ＬＬＤＰＥ）および二軸延伸ポリエチレンテレフタレートから成る前記群から選択される、請求項８３に記載のキット。
【請求項７０】
前記第２のポリマー層が、ポリプロピレンを備えている、請求項６４に記載のキット。
【請求項７１】
前記第１のポリマー層が、ポリエチレンを備えており、前記第２のポリマー層が、ナイロンを備えている、請求項６４に記載のキット。
【請求項７２】
前記第１のポリマー層がポリエチレン層であり、前記第２のポリマー層が、ナイロン層であり、前記積層物が、前記アルミニウム層と前記ポリエチレン層の間に挟まれた前記ナイロン層を備えている、請求項６４に記載のキット。
【請求項７３】
前記第１のポリマー層がポリエチレン層であり、前記第２のポリマー層が、ナイロン層であり、前記積層物が、前記ナイロン層と前記ポリエチレン層の間に挟まれた前記アルミニウム層を備えている、請求項６４に記載のキット。
【請求項７４】
液体吸入麻酔薬を保管するための柔軟性を有する容器の前記製造における、アルミ箔、第１のポリマー、および第２のポリマーから成る材料の使用。
【発明の詳細な説明】
【技術分野】
【０００１】
優先権についての記述
本出願は、２０１２年３月３０日出願の米国仮特許出願第６１／６８６，０８０号の恩恵およびそれに対する優先権を請求し、同出願をそのまま参考文献としてここに援用する。
序論
【０００２】
本発明は、吸入麻酔薬用パッケージの分野に関する。
【背景技術】
【０００３】
過去に開示された液体吸入麻酔薬容器は、硬質で、柔軟性を有するものではない。例えば、液体吸入麻酔薬などの多くの吸入麻酔薬は、通常、ガラス瓶で医療機関および開業医に供給される。これらの瓶は、麻酔器または気化器に、直接接続されるか、または中間アダプタを介して間接的に接続される。さらに、セボフルラン、デスフルラン、イソフルラン、ハロタン、メトキシフルラン、エトランおよびエーテルなどの麻酔薬用の吸入麻酔薬瓶には、通常、突起および／または切欠きを含むキーカラーが付いている。それぞれの種類の吸入麻酔薬が一意的なキーを有していて、ある麻酔薬を包含している瓶を、別の麻酔薬向けの接続部に取り付ける可能性を最小限に抑えるように、瓶が取り付けられる受け入れ装置には、相補的なキーが含まれ得る。図１に、麻酔瓶とアダプタの例を示す。図１Ａは、気化器充填アダプタ９０から分離した先行技術麻酔薬瓶１０を示している。アダプタと接続された麻酔瓶が、図１Ｂに示されている。図１０Ａでは、麻酔瓶１０は、標準外径（ＩＳＯ規格では２２ｍｍ）のリム、ねじ山部２０、突起１４を有するキーカラー１３付きの口１１を含んでいる。麻酔瓶を受け入れるアダプタは、管９１、コネクタ９２、スロット９４付きのキー９３を含んでいる。麻酔瓶およびアダプタが適切に接続されるとき（図１Ｂ）、瓶のキーカラーの突起１４が、アダプタのキーのスロット９４と一致する（Danelsenの米国特許出願公開第２００８／０３０８１７９号、Falligantの米国特許出願公開第２００４／０２０６４１７号、De Rubeis他のＰＣＴ出願公開ＷＯ９５／１３９７２号を参照のこと）。キーカラーおよびアダプタキーは、さらに、例えばＩＳＯによって設定されるような工業規格に従って、色識別することができる。
【０００４】
図１は、先行技術の麻酔薬ガラス瓶および気化器充填アダプタの例を図示している。図１Ａに示すように、ガラス瓶１０は、円形リップ部１１、ねじ山部１２、キーカラー１３、およびキー突起１４が付いた口を含んでいる。キーカラーは、少なくとも２つの突起を含むことがあり、キーカラーには、パターンが付けられていて、ある種類の液体吸入麻酔薬に一意的なキーとしての機能を果たす突起がある。気化器充填アダプタ９０は、コネクタ９２およびキー９３を含んでいる。キー９３は、キーカラー１３上のパターン付きの突起に相補的なスロット９４を含んでいる。突起のパターンおよび相補的スロットは、液体吸入麻酔薬の種類ごとに一意的であるように構成されている。瓶およびアダプタが図１Ｂに示すように接続されるとき、突起１４およびスロット９４が一致することで、瓶詰めの液体吸入麻酔薬と充填アダプタが不適当に接続される可能性を減らす。
【０００５】
しかし、標準的な麻酔瓶は、非柔軟なガラスから作られており、破損および破砕し易い。その上、ガラス容器は、輸送するのに重いと考えられる場合があり、いくつかの液体吸入麻酔薬は、ガラスまたはその要素に化学反応する、あるいはそれを腐食させると考えられている。例えば、ガラス容器に入っている、商業的供給業者によって供給されるフルオロカーボン麻酔薬セボフルランには、フッ化水素、ガラスと推測されるもの、およびルイス酸類などの汚染物質が含まれていることが分かってきた(Baker, M.T., Anesthesia & Analgesia 108, 1725-1726, 2009、Kharasch, E.D.他、 Anesthesia & Analgesia 108, 1796-1802, 2009、O'Neill, B.他、 Anesthesia 62, 421, 2007、Jiangの特許出願公開第２０１０／０２１８７６２号、Bieniarz他による米国特許第５，９９０，１７６号）。
【０００６】
液体吸入麻酔薬用のパッケージ材料として、ガラスの代替物が、提案されてきた。例えば、米国特許第４，２５０，３３４号は、フルオロカーボン麻酔セボフルランを入れる容器に関する、「Ｋｅｌ−Ｆ」プラスチックの使用を教示している。「Ｋｅｌ−Ｆ」は、クロロトリフルオロエチレンの商品名であることが分かっている。米国特許第５，６７９，５７６号は、フルオロカーボン麻酔薬セボフルランを入れるための、ポリ四フッ化エチレン（ＰＴＦＥ）で内側が覆われた容器の使用を教示している。米国特許第５，５０５，２３６号は、吸入麻酔薬でのプラスチック容器の使用を教示している。吸入麻酔薬の名前は特に指定されていないが、前述の第２３６号特許に示されるシステムの商業上の実施形態が、フルオロカーボン麻酔薬セボフルランで使用されていると考えられている。さらに別の特許が、セボフルランを入れるための容器に関する特定の種類のプラスチックの使用を教示している。米国特許第６，０７４，６６８号（ポリエチレンナフタレート）、第６，０８３，５１４号（ポリメチルペンテン）、および第６，１６２，４４３号（ポリプロピレン、ポリエチレン、およびイオノマ樹脂類）を参照されたい。さらに、特定のプラスチックで作られた吸入麻酔薬用の容器が、提案されてきた。ＷＯ９９／３４７６２号、Flament-Garcia他による米国特許第６，０７４，６６８号、Flament-Garcia他による同第６，１６２，４４３号、およびFlament-Garcia他による米国特許出願公開第２００１／００００７２９Ａ１号を参照されたい。プラスチック容器は、ガラス容器と比べて破損しにくいものの、硬質プラスチック容器は、一般的な使用条件下ではやはり破損しやすい。
【０００７】
セボフルラン用の容器は、ステンレス鋼でも作られるようになった。例えば、米国特許第５，９９０，１７６号には、セボフルランを入れるための、ガラス、プラスチック、またはステンレス鋼製の容器が記載されている。米国特許第６，００８，２７３号には、食品または飲料用の容器として使用される金属容器の内部を被覆するエポキシ樹脂が記載されている。Rudzinski他の米国特許出願公開第２０１１０２８４４１８号には、吸入麻酔薬用のアルミニウム容器が開示されている。しかし、アルミニウム容器は、柔軟性を有する、変形可能である、または可撓性を有する、とは記載されていない。Freedの米国特許出願公開第２０１００２８６６４８には、レセプタクルが開示されている。
【発明の概要】
【課題を解決するための手段】
【０００８】
本発明の発明者は、液体吸入麻酔薬用の柔軟性を有する容器を開発した。さまざまな実施形態において、パッケージは、柔軟な材料を備えていることができ、さまざまな実施形態において、本教示の柔軟性を有する容器は、柔軟性を有する容器本体、ねじ付き口、および液体吸入麻酔薬を備えている、またはそれらから成っていることができる。さまざまな実施形態において、柔軟性を有する容器本体は、多層膜などの積層物を備えている、またはそれらから成っていることができる。
【０００９】
さまざまな実施形態において、本教示の容器本体の積層物は、アルミ箔などの、少なくとも１層のアルミニウム層と、液体吸入麻酔薬と接触する少なくとも１層のポリマー層とを備えている、またはそれらから成っていることができる。さまざまな実施形態において、本教示の容器本体の積層物は、少なくとも１層のポリマー層と、液体吸入麻酔薬と接触するアルミ箔などの、少なくとも１層のアルミニウム層とを備えている、またはそれらから成っていることができる。
【００１０】
さまざまな実施形態において、本教示の容器本体の積層物は、アルミ箔などの、少なくとも１層のアルミニウム層と、液体吸入麻酔薬と接触するポリマー層などの、２層以上のポリマー層とを備えている、またはそれらから成っていることができる。さまざまな実施形態において、本教示の容器本体の積層物は、２層以上のポリマー層と、液体吸入麻酔薬と接触するアルミ箔などの、少なくとも１層のアルミニウム層とを備えている、またはそれらから成っていることができ、これらの実施形態では、ポリマー類は、同じであっても、異なっていてもよい。
【００１１】
本教示のさまざまな実施形態において、本教示の液体吸入麻酔薬は、当業者にとって周知である任意の液体吸入麻酔薬であり得る。いくつかの形態において、吸入麻酔薬は、セボフルラン、デスフルラン、イソフルラン、ハロタンまたはメトキシフルランなどの、これらに限定するわけではないが、フルオロカーボン麻酔薬であり得る。いくつかの形態において、液体吸入麻酔薬は、セボフルラン、デスフルラン、イソフルラン、ハロタン、メトキシフルラン、エトラン、およびエーテルから成る群から選択することができる。
【００１２】
さまざまな実施形態において、本教示の柔軟性を有する容器は、キーカラーをさらに備えることができる。本教示のキーカラーは、当業者にとって周知であり、ＩＳＯが制定した規格などの、これに限定するわけではないが、麻酔薬瓶に関する工業規格に従うものである。
【００１３】
さまざまな実施形態において、本教示の容器の口は、２９ｍｍ以下の外径を有する円筒形の口などの、液体吸入麻酔薬瓶に関するＩＳＯ規格などの、これに限定するわけではないが、工業規格と合致する寸法を有することができ、高密度ポリエチレンなどの、これに限定するわけではないが、硬質の、変形しないプラスチックなどのプラスチックでできていることができる。さまざまな形態において、口のねじは、ねじ山であり得る。さまざまな実施形態において、本教示の柔軟性を有する容器は、口に蓋をする密封部をさらに備えることができる。密封部は、プラスチックおよび／またはアルミ箔などの金属を備えていることができ、液体吸入麻酔薬を容器の中に保持し、さらに蒸発を防止するように機能することができる。密封部は、保管中に無傷のまま維持することができ、取り外すか、穴をあけて、液体吸入麻酔薬が口を通って流れることを可能にし得る。いくつかの態様では、密封部は、取り外し可能な密封部であるように構成することができる。
【００１４】
本教示の柔軟性を有する容器の容器本体は、ある量の吸入麻酔薬を入れるように作ることができ、その量は、例えば、５０ｍｌ、１００ｍｌ、１５０ｍｌ、２００ｍｌ、２４０ｍｌ、２５０ｍｌまたはそれ以上のような、約５０ｍｌから約２５０ｍｌまたはそれ以上で、これらに限定するわけではないが、あり得る。
【００１５】
本教示の容器本体の材料は、柔軟なポリマーおよび／またはアルミニウム薄板（アルミ箔）などの柔軟な金属板を含む任意の可撓性材料を備えていることができる。さまざまな形態において、材料およびその構成材層は、液体吸入麻酔薬の漏出または蒸発に対する障壁の役割を果たすことができ、公開された参考文献のように構成することができる。例えば、ManabeのＰＣＴ出願公開ＷＯ０３／０９７３５５号は、液剤を保管するプラスチック容器を開示している。この公開が開示している材料は、エチレン−α−オレフィンコポリマーの表層、エチレン−α−オレフィンコポリマーの柔軟性を有する層、環状オレフィンポリマーおよびエチレン−α−オレフィンコポリマーの障壁層、およびエチレン−α−オレフィンの密封層を有する多層膜である。本教示の他の形態では、ポリマー層は、環状オレフィンコポリマー、または環状オレフィンコポリマー（ＣＯＣ）およびエチレンとオクテンのグラフトコポリマーであり得る。いくつかの形態において、本教示の柔軟性を有する容器本体のポリマー層は、ナイロン、ポリエチレンまたはポリプロピレンなどのポリマー層であり得る。さまざまな形態において、ポリエチレン層は、直鎖状低密度ポリエチレン（ＬＬＤＰＥ）であり得る。さまざまな形態において、ポリエチレン層は、二軸延伸ポリエチレンテレフタレート（ＭＹＬＡＲ（登録商標）（デュポン社））であり得る。いくつかの形態において、Ｍｙｌａｒ（登録商標）を、蒸着で金属被覆して、アルミニウムまたは金などの蒸着金属の薄膜を生成することができる。いくつかの形態において、液体吸入麻酔薬と接触しうる第１のポリマー層は、ＬＬＤＰＥであってもよく、第２のポリマー層は、ナイロンであってもよい。いくつかの形態において、第１の層は、二軸延伸ポリエチレンテレフタレートであってもよく、第２のポリマー層は、ナイロンであってもよい。いくつかの形態において、積層物は、三層であってもよく、アルミニウムとＬＬＤＰＥの間に挟まれたナイロンを備えている、またはそれらから成っていることができる。いくつかの形態において、積層物は、アルミニウムと二軸延伸ポリエチレンテレフタレートの間に挟まれたナイロンを備えている、またはそれらから成っていることができる。いくつかの形態において、積層物は、ナイロンとＬＬＤＰＥの間に挟まれたアルミニウムを備えている、またはそれらから成っていることができる。いくつかの形態において、積層物は、ナイロンと二軸延伸ポリエチレンテレフタレートの間に挟まれたアルミニウムを備えている、またはそれらから成っていることができる。いくつかの形態において、積層物は、ナイロンとアルミニウムの間に挟まれたＬＬＤＰＥを備えている、またはそれらから成っていることができる。いくつかの形態において、積層物は、ナイロンとアルミニウムの間に挟まれた二軸延伸ポリエチレンテレフタレートを備えている、またはそれらから成っていることができる。
【００１６】
いくつかの実施形態では、本教示の柔軟性を有する容器は、さらにキャップを含むことができる。さまざまな形態において、キャップは、高密度ポリエチレン、ＬＬＤＰＥ、および二軸延伸ポリエチレンテレフタレートから成る群から選択されるポリマーを備えている、またはそれらから成っていることができる。さまざまな形態において、キャップは、アルミニウムを備えている、またはそれらから成っていることができる。さまざまな形態において、キャップは、ポリマーおよびアルミニウムの結合物を備えている、またはそれらから成っていることができる。
【００１７】
本教示の実施形態は、被術対象に麻酔をかける方法を含んでいる。さまざまな形態において、これらの方法は、本明細書で開示している容器を麻酔器に流体接続することと、麻酔器を被術対象に流体接続することと、麻酔的に有効な量の吸入麻酔薬を被術対象に投与することとを含んでいる。さまざまな形態において、容器と麻酔器の間の接続は、直接的であってもよく、あるいは例えばアダプタを介すなどして間接的であってもよい。さまざまな形態において、被術対象は、人間または動物であり得、麻酔薬は、フルオロカーボン麻酔薬などの任意の液体吸入麻酔薬であり得る。さまざまな形態において、麻酔薬は、セボフルラン、デスフルラン、イソフルラン、ハロタン、メトキシフルラン、エトランおよびエーテルから成る群から選択することができ、またはセボフルラン、デスフルラン、イソフルラン、ハロタンおよびメトキシフルランから成る群から選択することができる。さまざまな形態において、容器は、キーカラーをさらに備えることができ、相補的なキーを備えた機械またはアダプタに接続され得る。さまざまな形態において、キーカラーおよびキーは、ＩＳＯ規格に対応することができる。
【００１８】
本教示の実施形態は、液体吸入麻酔薬を麻酔気化器リザーバに送達する方法を含んでいる。さまざまな形態において、これらの方法は、液体吸入麻酔薬を備えた、本明細書に開示している容器をキー充填アダプタに取り付けることと、液体麻酔薬を気化器リザーバに移送することとを備えている。これらの実施形態の液体吸入麻酔薬は、セボフルラン、デスフルラン、イソフルラン、ハロタン、メトキシフルラン、エトラン、またはエーテルなど、これらに限定するわけではないが、本明細書に開示している任意の液体吸入麻酔薬であり得る。いくつかの形態において、これらの実施形態の柔軟性を有する容器は、吸入麻酔薬瓶キーカラーに関するＩＳＯ規格に適合するキーカラーなどのキーカラーを備えていることができる。いくつかの形態において、柔軟性を有する容器を受け入れる装置は、相補的なキー取り付け部品を備えたキー充填アダプタを備えていることができる。
【００１９】
本教示の実施形態は、さらにさまざまなキットを含んでいる。本教示のキットは、さまざまな形態において、液体吸入麻酔薬用の柔軟性を有する容器を備えていることができ、柔軟性を有する容器は、柔軟性を有する容器本体およびねじ付き口と、少なくとも１つの液体吸入麻酔薬とを備えている。さまざまな形態において、柔軟性を有する容器は、本明細書に記載されている積層物を備えていることができる。
【００２０】
本教示の実施形態は、液体吸入麻酔薬を保管する柔軟性を有する容器の製造おける、アルミ箔、第１のポリマー、および第２のポリマーを備えた材料の使用を含んでいる。
【００２１】
本教示には、後続の態様が含まれるが、これらに限定するわけではない。
【００２２】
１．液体吸入麻酔薬用の柔軟性を有する容器であって、柔軟性を有する容器本体と、ねじ付き口と、液体吸入麻酔薬とを備えている柔軟性を有する容器。
【００２３】
２．柔軟性を有する容器本体が、アルミニウム層および第１のポリマー層を含んだ積層物を備えている、態様１による柔軟性を有する容器。
【００２４】
３．液体吸入麻酔薬が、第１のポリマー層と接触する、態様２による柔軟性を有する容器。
【００２５】
４．液体吸入麻酔薬が、アルミニウム層と接触する、態様２による柔軟性を有する容器。
【００２６】
５．液体吸入麻酔薬が、フルオロカーボン麻酔薬である、態様１から４の何れか１つによる柔軟性を有する容器。
【００２７】
６．液体吸入麻酔薬が、セボフルラン、デスフルラン、イソフルラン、ハロタン、メトキシフルラン、エトランおよびエーテルから成る群から選択される、態様１から４の何れか１つによる柔軟性を有する容器。
【００２８】
７．吸入麻酔薬が、セボフルランである、態様１から４の何れか１つによる柔軟性を有する容器。
【００２９】
８．吸入麻酔薬が、デスフルランである、態様１から４の何れか１つによる柔軟性を有する容器。
【００３０】
９．吸入麻酔薬が、イソフルランである、態様１から４の何れか１つによる柔軟性を有する容器。
【００３１】
１０．吸入麻酔薬が、ハロタンである、態様１から４の何れか１つによる柔軟性を有する容器。
【００３２】
１１．吸入麻酔薬が、メトキシフルランである、態様１から４の何れか１つによる柔軟性を有する容器。
【００３３】
１２．吸入麻酔薬が、エトランである、態様１から４の何れか１つによる柔軟性を有する容器。
【００３４】
１３．吸入麻酔薬が、エーテルである、態様１から４の何れか１つによる柔軟性を有する容器。
【００３５】
１４．キーカラーをさらに備えている、態様１から４の何れか１つによる柔軟性を有する容器。
【００３６】
１５．吸入麻酔薬瓶用のＩＳＯ規格キーカラーに対応するキーカラーをさらに備えている、態様１から４の何れか１つによる柔軟性を有する容器。
【００３７】
１６．ねじ付き口に蓋をする密封部をさらに備えている、態様１から４の何れか１つによる柔軟性を有する容器。
【００３８】
１７．密封部が、着脱可能な密封部である、態様１６による柔軟性を有する容器。
【００３９】
１８．ねじ付き口が、ねじ山部を備えている、態様１から４の何れか１つによる柔軟性を有する容器。
【００４０】
１９．第１のポリマー層が、環状オレフィンコポリマーを備えている、態様２から４の何れか１つによる柔軟性を有する容器。
【００４１】
２０．第１のポリマー層が、環状オレフィンコポリマー（ＣＯＣ）とエチレンおよびオクテンのグラフトコポリマーを備えている、態様２から４の何れか１つによる柔軟性を有する容器。
【００４２】
２１．第１のポリマー層が、ナイロンを備えている、態様２から４の何れか１つによる柔軟性を有する容器。
【００４３】
２２．第１のポリマー層が、ポリエチレンを備えている、態様２から４の何れか１つによる柔軟性を有する容器。
【００４４】
２３．ポリエチレンが、直鎖状低密度ポリエチレン（ＬＬＤＰＥ）である、態様２２による柔軟性を有する容器。
【００４５】
２４．ポリエチレンが、二軸延伸ポリエチレンテレフタレートである、態様２２による柔軟性を有する容器。
【００４６】
２５．第１のポリマー層が、ポリプロピレンを備えている、態様２から４の何れか１つによる柔軟性を有する容器。
【００４７】
２６．積層物が、さらに第２のポリマー層を備えている、態様２から４の何れか１つによる柔軟性を有する容器。
【００４８】
２７．第２のポリマー層が、環状オレフィンコポリマーを備えている、態様２６による柔軟性を有する容器。
【００４９】
２８．第２のポリマー層が、環状オレフィンコポリマーとエチレンおよびオクタンのグラフトコポリマーを備えている、態様２６による柔軟性を有する容器。
【００５０】
２９．第２のポリマー層が、ナイロンを備えている、態様２６による柔軟性を有する容器。
【００５１】
３０．第２のポリマー層が、ポリエチレンを備えている、態様２６による柔軟性を有する容器。
【００５２】
３１．第２のポリマー層のポリエチレンが、直鎖状低密度ポリエチレン（ＬＬＤＰＥ）である、態様３０による柔軟性を有する容器。
【００５３】
３２．第２のポリマー層のポリエチレンが、二軸延伸ポリエチレンテレフタレートである、態様３０による柔軟性を有する容器。
【００５４】
３３．第２のポリマー層が、ポリプロピレンを備えている、態様２６による柔軟性を有する容器。
【００５５】
３４．第１のポリマー層が、ＬＬＤＰＥを備えており、第２のポリマー層が、ナイロンを備えている、態様２６による柔軟性を有する容器。
【００５６】
３５．第１のポリマー層が、二軸延伸ポリエチレンテレフタレートを備えており、第２のポリマー層が、ナイロンを備えている、態様２６による柔軟性を有する容器。
【００５７】
３６．積層物が、アルミニウムとＬＬＤＰＥの間に挟まれたナイロンを備えている、態様２６による柔軟性を有する容器。
【００５８】
３７．積層物が、アルミニウムと二軸延伸ポリエチレンテレフタレートの間に挟まれたナイロンを備えている、態様２６による柔軟性を有する容器。
【００５９】
３８．キャップをさらに備えている、態様１から４の１つによる柔軟性を有する容器。
【００６０】
３９．キャップが、高密度ポリエチレン、ＬＬＤＰＥおよび二軸延伸ポリエチレンテレフタレートから成る群から選択されたポリマーから成っている、態様３８による柔軟性を有する容器。
【００６１】
４０．被術対象に麻酔をかける方法であって、態様１から４の何れか１つの容器を麻酔器に流体接続することと、麻酔器を被術対象に流体接続することと、麻酔的に有効な量の吸入麻酔薬を被術対象に投与することと、を備えている方法。
【００６２】
４１．被術対象が、人間である、態様４０により被術対象に麻酔をかける方法。
【００６３】
４２．被術対象が、動物である、態様４０により被術対象に麻酔をかける方法。
【００６４】
４３．液体吸入麻酔薬が、フルオロカーボン麻酔薬である、態様４０により被術対象に麻酔をかける方法。
【００６５】
４４．液体吸入麻酔薬が、セボフルラン、デスフルラン、イソフルラン、ハロタン、メトキシフルラン、エトラン、およびエーテルから成る群から選択される、態様４０により被術対象に麻酔をかける方法。
【００６６】
４５．吸入麻酔薬が、セボフルラン、デスフルラン、イソフルラン、ハロタン、およびメトキシフルランから成る群から選択される、態様４０により被術対象に麻酔をかける方法。
【００６７】
４６．容器が、キーカラーをさらに備えている、態様４０により被術対象に麻酔をかける方法。
【００６８】
４７．容器が、吸入麻酔薬瓶に関するＩＳＯ規格キーカラーに対応するキーカラーをさらに備えている、態様４０により被術対象に麻酔をかける方法。
【００６９】
４８．液体吸入麻酔薬を麻酔気化器リザーバに送達する方法であって、態様１から４の何れか１つの容器をキー充填アダプタに取り付けることと、液体麻酔薬を気化器リザーバに移送することと、を備えている方法。
【００７０】
４９．液体吸入麻酔薬が、セボフルラン、デスフルラン、イソフルラン、ハロタン、メトキシフルラン、エトラン、およびエーテルから成る群から選択される、態様４８による方法。
【００７１】
５０．吸入麻酔薬が、セボフルラン、デスフルラン、イソフルラン、ハロタンおよびメトキシフルランから成る群から選択される、態様４８により被術対象に麻酔をかける方法。
【００７２】
５１．容器が、キーカラーをさらに備えている、態様４８により被術対象に麻酔をかける方法。
【００７３】
５２．容器が、吸入麻酔薬瓶に関するＩＳＯ規格キーカラーに対応するキーカラーをさらに備えている、態様４８により被術対象に麻酔をかける方法。
【００７４】
５３．容器が、麻酔薬に特定のキーカラーを備えており、キー充填アダプタが、相補的なキー取り付け部品を備えている、態様４８により被術対象に麻酔をかける方法。
【００７５】
５４．キットであって、柔軟性を有する容器は、柔軟性を有する容器本体およびねじ付き口を備えている、液体吸入麻酔薬用の柔軟性を有する容器と、少なくとも１つの液体吸入麻酔薬とを備えているキット。
【００７６】
５５．柔軟性を有する容器が、アルミニウム層および第１のポリマー層から成る積層物を備えている、態様５４によるキット。
【００７７】
５６．第１のポリマー層が、容器の内部と接触する、態様５４によるキット。
【００７８】
５７．アルミニウム層が、容器の内部と接触する、態様５４によるキット。
【００７９】
５８．少なくとも１つの液体吸入麻酔薬が、フルオロカーボン麻酔薬である、態様５４から５７の何れか１つによるキット。
【００８０】
５９．少なくとも１つの液体吸入麻酔薬が、セボフルラン、デスフルラン、イソフルラン、ハロタン、メトキシフルラン、エトラン、およびエーテルから成る群から選択される、態様５４から５７の何れか１つによるキット。
【００８１】
６０．少なくとも１つの液体吸入麻酔薬が、セボフルランである、態様５４から５７の何れか１つによるキット。
【００８２】
６１．少なくとも１つの液体吸入麻酔薬が、デスフルランである、態様５４から５７の何れか１つによるキット。
【００８３】
６２．少なくとも１つの液体吸入麻酔薬が、イソフルランである、態様５４から５７の何れか１つによるキット。
【００８４】
６３．少なくとも１つの液体吸入麻酔薬が、ハロタンである、態様５４から５７の何れか１つによるキット。
【００８５】
６４．少なくとも１つの液体吸入麻酔薬が、メトキシフルランである、態様５４から５７の何れか１つによるキット。
【００８６】
６５．少なくとも１つの液体吸入麻酔薬が、エトランである、態様５４から５７の何れか１つによるキット。
【００８７】
６６．少なくとも１つの液体吸入麻酔薬が、エーテルである、態様５４から５７の何れか１つによるキット。
【００８８】
６７．少なくとも１つのキーカラーをさらに備えている、態様５４から５７の何れか１つによるキット。
【００８９】
６８．吸入麻酔薬瓶に関するＩＳＯ規格キーカラーに対応する少なくとも１つのキーカラーをさらに備えている、態様５４から５７の何れか１つによるキット。
【００９０】
６９．柔軟性を有する容器が、ねじ付き口に蓋をする密封部をさらに備えている、態様５４から５７の何れか１つによるキット。
【００９１】
７０．密封部が、着脱可能な密封部である、態様６９によるキット。
【００９２】
７１．ねじ付き口が、ねじ山部を備えている、態様５４から５７の何れか１つによるキット。
【００９３】
７２．第１のポリマー層が、環状オレフィンコポリマーを備えている、態様５４から５７の何れか１つによるキット。
【００９４】
７３．第１のポリマー層が、環状オレフィンコポリマー（ＣＯＣ）とエチレンおよびオクテンのグラフトコポリマーを備えている、態様５４から５７の何れか１つによるキット。
【００９５】
７４．第１のポリマー層が、ナイロンを備えている、態様５４から５７の何れか１つによるキット。
【００９６】
７５．第１のポリマー層が、ポリエチレンを備えている、態様５４から５７の何れか１つによるキット。
【００９７】
７６．ポリエチレンが、ＬＬＤＰＥである、態様７５によるキット。
【００９８】
７７．ポリエチレンが、二軸延伸ポリエチレンテレフタレートである、態様７５によるキット。
【００９９】
７８．第１のポリマー層が、ポリプロピレンを備えている、態様５４から５７の何れか１つによるキット。
【０１００】
７９．積層物が、第２のポリマー層をさらに備えている、態様５４から５７の何れか１つによるキット。
【０１０１】
８０．第２のポリマー層が、環状オレフィンコポリマーを備えている、態様７９によるキット。
【０１０２】
８１．第２のポリマー層が、環状オレフィンコポリマーとエチレンおよびオクテンのグラフトコポリマーとを備えている、態様７９によるキット。
【０１０３】
８２．第２のポリマー層が、ナイロンを備えている、態様７９によるキット。
【０１０４】
８３．第２のポリマー層が、ポリエチレンを備えている、態様７９によるキット。
【０１０５】
８４．第２のポリマー層のポリエチレンが、直鎖状低密度ポリエチレン（ＬＬＤＰＥ）である、態様８３によるキット。
【０１０６】
８５．第２のポリマー層のポリエチレンが、二軸延伸ポリエチレンテレフタレートである、態様８３によるキット。
【０１０７】
８６．第２のポリマー層が、ポリプロピレンを備えている、態様７９によるキット。
【０１０８】
８７．第１のポリマー層が、ポリエチレンを備えており、第２のポリマー層が、ナイロンを備えている、態様７９によるキット。
【０１０９】
８８．第１のポリマー層がポリエチレン層であり、第２のポリマー層が、ナイロン層であり、積層物が、アルミニウム層とポリエチレン層の間に挟まれたナイロン層を備えている、態様７９によるキット。
【０１１０】
８９．第１のポリマー層がポリエチレン層であり、第２のポリマー層が、ナイロン層であり、積層物が、ナイロン層とポリエチレン層の間に挟まれたアルミニウム層を備えている、態様７９によるキット。
【０１１１】
９０．液体吸入麻酔薬を保管するための柔軟性を有する容器の製造における、アルミ箔、第１のポリマー、および第２のポリマーから成る材料の使用。
【図面の簡単な説明】
【０１１２】
【図１】先行技術液体吸入麻酔薬ガラス瓶およびアダプタの一例を示しており、図１Ａは、アダプタから分離したガラス瓶を例示し、図１Ｂは、アダプタに接続したガラス瓶を例示している。
【図２】歯磨き剤チューブに似ている本教示の形態を例示している。図２Ａは、アダプタから分離した柔軟性を有する容器を例示し、図２Ｂは、アダプタに接続した柔軟性を有する容器を例示している。
【図３】フラスコに似た形状をしている本教示の形態を例示している。図３Ａは、アダプタから分離した柔軟性を有する容器を例示し、図３Ｂは、アダプタに接続した柔軟性を有する容器を例示している。
【図４】フラスコに似た形状をしている本教示の形態を例示している。図４Ａは、アダプタから分離した柔軟性を有する容器を例示し、図４Ｂは、アダプタに接続した柔軟性を有する容器を例示している。
【図５】使い捨て果汁容器に似た形状をしている本教示の形態を例示している。図４Ａは、アダプタから分離した柔軟性を有する容器を例示し、図４Ｂは、アダプタに接続した柔軟性を有する容器を例示している。
【発明を実施するための形態】
【０１１３】
本発明の発明者は、液体吸入麻酔薬用の柔軟性を有する容器を開発した。さまざまな実施形態において、パッケージは、柔軟性を有する材料を備えていることができる。さまざまな実施形態において、本教示の柔軟性を有する容器は、柔軟性を有する容器本体と、ねじ付き口と、液体吸入麻酔薬とを備えている、またはそれらから成っていることができる。さまざまな実施形態において、柔軟性を有する容器本体は、多層膜などの積層物を備えている、またはそれらから成っていることができる。
【０１１４】
さまざまな実施形態において、本教示の容器本体の積層物は、アルミ箔などの少なくとも１層のアルミニウム層と、ポリマー層が液体吸入麻酔薬と接触している少なくとも１層のポリマー層とを備えている、またはそれらから成っていることができる。さまざまな実施形態において、本教示の容器本体の積層物は、少なくとも１層のポリマー層と、アルミニウム層が液体吸入麻酔薬と接触するアルミ箔などの少なくとも１層のアルミニウム層とを備えている、またはそれらから成っていることができる。さまざまな形態において、本開示の積層物のポリマーは、可橈性材料を形成することができる任意のポリマーであり得る。いくつかの形態において、ポリマーは、さらに、液体麻酔薬の流れおよび蒸発に対する可撓性障壁の役割を果たすことができる。本教示の容器本体の中に作成して使用することができるポリマー類、膜、および積層物の非限定的な例は、Jiangの米国特許出願公開第２０１００２１８７６２号、Janssen他の米国特許出願公開第２００７０２４３２９３号、Leclercの米国特許出願公開第２００８００７１０４６号、Harringtonに対する米国特許第５，８３７，７８７号、Briggsの米国特許出願公開第２００８０２９９３７０号、Umanaの米国特許出願公開第２００７００２６２５１号、Mgaya他の米国特許出願公開第２００７００８８１４５号、Booth他の米国特許出願公開第２００８００９９１４１号、Andersson他に対する米国特許第７，３８４，６７４号、Wyssの米国特許出願公開第２０１２０２３８９５５号、Ling他に対する米国特許第８，１２９，０３１号、Bertolino他の米国特許出願公開第２０１１００６４９５５号などの公告に開示されている。
【０１１５】
本教示の容器本体は、非限定的な例として、二軸延伸ポリエチレンテレフタレート（Ｍｙｌａｒ（登録商標））膜でもよいポリエチレン層を備えている、またはそれらから成っていることができる。さまざまな形態において、本教示の可撓性を有する容器本体は、環状オレフィンコポリマーなどの少なくとも１層のポリマー層、例えばＴＯＰＡＳ（登録商標）８００７（Ｐｏｌｙｐｌａｓｔｉｃｓ社）またはＥｘａｃｔ（商標）プラストマー（ＥＸＡＣＴ５０６１、ＥｘｘｏｎＭｏｂｉｌｅＣｈｅｍｉｃａｌ）を備えていてもよい。さまざまな形態において、本教示の容器本体は、非限定的な例として、０．０５０８ｍｍ（０．００２インチ）、０．１２１９２ｍｍ（０．００４８インチ）、０．１２７ｍｍ（０．００５インチ）、０．１９０５ｍｍ（０．００７５インチ）、０．２５４ｍｍ（０．０１０インチ）、または０．３５５６ｍｍ（０．０１４インチ）の厚さを有することができる。いくつかの形態において、容器本体は、０．１２７ｍｍ（５ミル）のＭｙｌａｒ（登録商標）を備えていることができる。いくつかの形態において、アルミニウムの中間層（０．００８８９ｍｍ（０．０００３５インチ））を有している、厚さ０．１２７ｍｍ（５ミル）のＭｙｌａｒ（登録商標）を、使うことができる。いくつかの形態において、アルミニウム層は、０．００８８９ｍｍ（０．０００３５インチ）から１．９８１２ｍｍ（０．０７８インチ）の厚さ、例えば厚さ約０．０２５４ｍｍ（０．００１インチ）であり得る。いくつかの形態において、柔軟性を有する容器本体は、接合されている厚さ４．５ｕｍ（０．１８ミル）の２層のアルミ箔の間に挟まれた厚さ９ｕｍ（０．３５ミル）のＭｙｌａｒ（登録商標）膜で作ってもよい。いくつかの形態において、柔軟性を有する容器本体は、ポリエチレンの層と重ねることができるアルミナイズＭｙｌａｒ（登録商標）膜で作ってもよい。
【０１１６】
ポリマー類および金属箔およびラミネート材は、当業者にとって周知の方法を用いて形成することができる。その上、当業者に周知の方法を用いて、材料を成形し、容器を組み立てることができる。
【０１１７】
キーカラーは、工業規格に対応することができ、さらに、例えばセボフルランには黄、イソフルランには紫、ハロタンには赤、デスフルランには青のように、工業規格に準じて色分けすることができる。
【０１１８】
図２は、本教示の容器および気化器充填アダプタの例を図示している。図２Ａに示すように、歯磨き剤チューブに似た形態２０は、円形リップ部２１、ねじ山部２２、キーカラー２３、およびキー突起２４を備えた口を含んでいる。キーカラーは、少なくとも２つの突起を含むことができ、キーカラーは、液体吸入麻酔薬の種類に一意的なキーとしての役割を果たすようにパターンが付けられた突起を有する。気化器充填アダプタ９０は、コネクタ９２およびキー９３を含んでいる。キー９３は、キーカラー２３のパターン付き突起と相補的なスロット９４を含んでいる。突起のパターンおよび補完的なスロットは、液体吸入麻酔薬の種類ごとに一意的であるように構成されている。瓶およびアダプタが図２Ｂに示すように接続されるとき、突起２４およびスロット９４が一致することで、瓶詰めの液体吸入麻酔薬と充填アダプタが不適当に接続される可能性を減らす。さまざまな態様において、この形態の容器は、先細のまたはくびれた基部を有し得る。
【０１１９】
図３は、本教示の容器および気化器充填アダプタの例を図示している。図３Ａに示すように、フラスコ３０に似た形態は、円形リップ部３１、ねじ山部３２、キーカラー３３、およびキー突起３４を備えた口を含んでいる。キーカラーは、少なくとも２つの突起を含むことができ、キーカラーは、液体吸入麻酔薬の種類に一意的なキーとしての役割を果たすようにパターンが付けられた突起を有する。気化器充填アダプタ９０は、コネクタ９２およびキー９３を含んでいる。キー９３は、キーカラー３３のパターン付き突起と相補的なスロット９４を含んでいる。突起のパターンおよび補完的なスロットは、液体吸入麻酔薬の種類ごとに一意的であるように構成されている。瓶およびアダプタが図３Ｂに示すように接続されるとき、突起３４およびスロット９４が一致することで、瓶詰めの液体吸入麻酔薬と充填アダプタが不適当に接続される可能性を減らす。さまざまな態様において、この形態の容器は、基部にガセットを含むことができ、液体吸入麻酔薬の導入時に拡張、または麻酔薬を排出中に縮小することが可能になっている。
【０１２０】
図４は、本教示の容器および気化器充填アダプタの例を図示している。図４Ａに示すように、フラスコ状の形態４０は、円形リップ部４１、ねじ部４２、キーカラー４３、およびキー突起４４を備えた口を含んでいる。キーカラーは、少なくとも２つの突起を含むことができ、キーカラーは、液体吸入麻酔薬の種類に一意的なキーとしての役割を果たすようにパターンが付けられた突起を有する。気化器充填アダプタ９０は、コネクタ９２およびキー９３を含んでいる。キー９３は、キーカラー４３のパターン付き突起と相補的なスロット９４を含んでいる。突起のパターンおよび補完的なスロットは、液体吸入麻酔薬の種類ごとに一意的であるように構成されている。瓶およびアダプタが図４Ｂに示すように接続されるとき、突起４４およびスロット９４が一致することで、瓶詰めの液体吸入麻酔薬と充填アダプタが不適当に接続される可能性を減らす。さまざまな態様において、この形態の容器は、図３のようにガセットを含むことができる。
【０１２１】
図５は、本教示の容器および気化器充填アダプタの例を図示している。図５Ａに示すように、使い捨て果汁容器に似た形態５０は、円形リップ部５１、ねじ山部５２、キーカラー５３、およびキー突起５４を備えた口を含んでいる。キーカラーは、少なくとも２つの突起を含むことができ、キーカラーは、液体吸入麻酔薬の種類に一意的なキーとしての役割を果たすようにパターンが付けられた突起を有する。気化器充填アダプタ９０は、コネクタ９２およびキー９３を含んでいる。キー９３は、キーカラー５３のパターン付き突起と相補的なスロット９４を含んでいる。突起のパターンおよび補完的なスロットは、液体吸入麻酔薬の種類ごとに一意的であるように構成されている。瓶およびアダプタが図５Ｂに示すように接続されるとき、突起５４およびスロット９４が一致することで、瓶詰めの液体吸入麻酔薬と充填アダプタが不適当に接続される可能性を減らす。
【０１２２】
すべての引用文献を、それぞれそのまま参考文献として本願明細書で援用する。
【図１Ａ】
2015519092.tif 000003
【図１Ｂ】
2015519092.tif 000004
【図２Ａ】
2015519092.tif 000005
【図２Ｂ】
2015519092.tif 000006
【図３Ａ】
2015519092.tif 000007
【図３Ｂ】
2015519092.tif 000008
【図４Ａ】
2015519092.tif 000009
【図４Ｂ】
2015519092.tif 000010
【図５Ａ】
2015519092.tif 000011
【図５Ｂ】
2015519092.tif 000012
【国際調査報告】
2015519092.tif 000013
2015519092.tif 000014